(57)【要約】      （修正有）【課題】箸自体の殺菌、滅菌を行い、箸を衛生的な状態に保持できる箸立てを提供する。【解決手段】開口４を有する円筒状の外容器５に、開口１０を有し、円筒状に形成された紫外線透過性の内容器１１を挿脱自在に収納可能とする。外容器５、内容器１１の開口４、１０の上に多数の箸２０を分散して収納可能とするセパレータ３０を被せ、外容器５の内面６に、上下に延設されたＵＶ基板４０を周方向に９０°ずつ離して４つ設け、各ＵＶ基板４０には紫外線発光素子４１を縦に５つずつ配設する。各紫外線発光素子４１は外容器５の下部に設けた電源部４２より給電して紫外線発光させる。【選択図】図４
0003190787.tif 000002
【実用新案登録請求の範囲】
【請求項１】
多数の箸を立てた状態で収納する有底で上端が開口した内容器と、
内容器を挿脱自在に収納する上端が開口した外容器を備え、
内容器を紫外線透過性の材質により形成し、
内容器を通して箸に紫外線を照射する紫外線照射手段を外容器に設けたこと、
を特徴とする箸立て。
【請求項２】
内容器の底の中央に下に開口した筒部を上方へ突設し、
紫外線照射手段は筒部の内部に挿入されて、内容器の中央から周囲へ放射状に紫外線を照射するようにしたこと、
を特徴とする請求項１記載の箸立て。
【請求項３】
紫外線照射手段は外容器の内面に沿って分布させて配設したこと、
を特徴とする請求項１または２記載の箸立て。
【請求項４】
紫外線照射手段は内容器の底の下側に分布させて配設したこと、
を特徴とする請求項１乃至３の内のいずれか一項記載の箸立て。
【請求項５】
多数の箸を立てた状態で収納する有底で上端が開口した内容器と、
内容器を挿脱自在に収納する上端が開口した外容器を備え、
外容器の開口に着脱自在な吊持部材を設けるとともに、吊持部材から内容器の中に紫外線照射手段を吊持させたこと、
を特徴とする箸立て。
【請求項６】
内容器を紫外線透過性の材質により形成し、
紫外線照射手段は外容器の内面に沿って分布させて配設したこと、
を特徴とする請求項５記載の箸立て。
【請求項７】
内容器を紫外線透過性の材質により形成し、
紫外線照射手段は内容器の底の下側に分布させて配設したこと、
を特徴とする請求項５または６記載の箸立て。
【請求項８】
多数の箸を立てた状態で収納する有底で上端が開口した内容器と、
内容器を挿脱自在に収納する上端が開口した外容器を備え、
内容器を紫外線透過性の材質により形成し、
内容器を通して箸に紫外線を照射する紫外線照射手段を外容器に設けるとともに、
内容器を垂直軸の回りに回転させる回転手段を外容器に備えたこと、
を特徴とする箸立て。
【請求項９】
内容器に多数の箸を周方向に分散して収納可能とする分散手段を備えたこと、
を特徴とする請求項１乃至９の内のいずれか一項記載の箸立て。
【請求項１０】
分散手段は、周方向に分割された多数の開口孔を有すること、
を特徴とする請求項９記載の箸立て。
【請求項１１】
紫外線照射手段から照射された紫外線を内容器に収納された箸に向けて反射または散乱する手段を設けたこと、
を特徴とする請求項１乃至１０の内のいずれか一項記載の箸立て。
【考案の詳細な説明】
【技術分野】
【０００１】
本考案は箸立てに係り、とくに箸を衛生的に保つことのできる箸立てに関する。
【背景技術】
【０００２】
飲食店では箸立てに多数の箸を入れて客に利用させているが、近年は、資源の節約のため繰り返し使用できるリターナブルタイプの箸を用いている場合が多い。ところが、リターナブルタイプの箸は大勢の客が使用しているため、色んな雑菌が付いている可能性がある。このため衛生面を気にする人は、リターナブルタイプの箸を使用している飲食店を利用しなくなっていた。従来、箸立ての底盤部に箸先が直接触れないように、底盤部より上に箸置き網棚を配置し、この箸置き網棚に箸先が当接するようにしたクリーン箸立てが提案されている（特許文献１参照）。
【０００３】
けれども、このクリーン箸立てでは、箸先が菌の多い底盤部に触れなくなるだけであり、箸自体に菌が付着していても何ら対策することができず、衛生的というには不十分であった。
【先行技術文献】
【特許文献】
【０００４】
【特許文献１】実用新案登録第３１６１７８４号
【考案の概要】
【考案が解決しようとする課題】
【０００５】
本考案は上記した従来技術の問題に鑑みなされたもので、箸自体の殺菌、滅菌を行うようにして箸を衛生的な状態に保持できる箸立てを提供することを、その目的とする。
【課題を解決するための手段】
【０００６】
本考案の請求項１記載の箸立てでは、多数の箸を立てた状態で収納する有底で上端が開口した内容器と、内容器を挿脱自在に収納する上端が開口した外容器を備え、内容器を紫外線透過性の材質により形成し、内容器を通して箸に紫外線を照射する紫外線照射手段を外容器に設けたこと、を特徴としている。
本考案の請求項２記載の箸立てでは、内容器の底の中央に下に開口した筒部を上方へ突設し、紫外線照射手段は筒部の内部に挿入されて、内容器の中央から周囲へ放射状に紫外線を照射するようにしたこと、を特徴としている。
本考案の請求項３記載の箸立てでは、紫外線照射手段は外容器の内面に沿って分布させて配設したこと、を特徴としている。
本考案の請求項４記載の箸立てでは、紫外線照射手段は内容器の底の下側に分布させて配設したこと、を特徴としている。
本考案の請求項５記載の箸立てでは、多数の箸を立てた状態で収納する有底で上端が開口した内容器と、内容器を挿脱自在に収納する上端が開口した外容器を備え、外容器の開口に着脱自在な吊持部材を設けるとともに、吊持部材から内容器の中に紫外線照射手段を吊持させたこと、を特徴としている。
本考案の請求項６記載の箸立てでは、内容器を紫外線透過性の材質により形成し、紫外線照射手段は外容器の内面に沿って分布させて配設したこと、を特徴としている。
本考案の請求項７記載の箸立てでは、内容器を紫外線透過性の材質により形成し、紫外線照射手段は内容器の底の下側に分布させて配設したこと、を特徴としている。
本考案の請求項８記載の箸立てでは、多数の箸を立てた状態で収納する有底で上端が開口した内容器と、内容器を挿脱自在に収納する上端が開口した外容器を備え、内容器を紫外線透過性の材質により形成し、内容器を通して箸に紫外線を照射する紫外線照射手段を外容器に設けるとともに、内容器を垂直軸の回りに回転させる回転手段を外容器に備えたこと、を特徴としている。
本考案の請求項９記載の箸立てでは、内容器に多数の箸を周方向に分散して収納可能とする分散手段を備えたこと、を特徴としている。
本考案の請求項１０記載の箸立てでは、分散手段は、周方向に分割された多数の開口孔を有すること、を特徴としている。
本考案の請求項１１記載の箸立てでは、分散手段は、中央に内容器に挿入される箸を周方向に案内するドーム型のガイド部を備えたこと、を特徴としている。
本考案の請求項１２記載の箸立てでは、紫外線照射手段から照射された紫外線を内容器に収納された箸に向けて反射または散乱する手段を設けたこと、を特徴としている。
【考案の効果】
【０００７】
本考案によれば、箸立ての内容器に収納された多数の箸に対し、内容器の外部又は内部から紫外線を照射して殺菌や滅菌を行うことができ、リターナブルタイプの箸であっても、衛生的に保つことができる。
また、分散手段により、内容器に収納される箸が周方向に分散されるので、どの箸にも紫外線が満遍なく当たるようにできる。
【図面の簡単な説明】
【０００８】
【図１】本考案の第１実施例に係る箸立ての外観斜視図である（実施例１）。
【図２】図１中のセパレータの平面図である。
【図３】図２の側面図である。
【図４】図１の箸立ての縦断面図である。
【図５】図１の箸立ての組み立て方法の説明図である。
【図６】図１のセパレータの作用説明図である。
【図７】図１の箸立ての作用説明図である。
【図８】図１の変形例を示す縦断面図である。
【図９】図１の他の変形例を示す説明図である。
【図１０】図１の更に他の変形例を示す縦断面図である。
【図１１】図１の変形例を示す縦断面図である。
【図１２】本考案の第２実施例に係る箸立ての縦断面図である（実施例２）。
【図１３】図１２の箸立ての作用説明図である。
【考案を実施するための最良の形態】
【０００９】
以下、本考案の最良の形態を実施例に基づき説明する。
【実施例１】
【００１０】
図１乃至図４を参照して本考案の第１実施例を説明する。図１は本考案に係る箸立ての外観斜視図、図２は図１中のセパレータの平面図、図３はセパレータの側面図、図４は図１の箸立ての縦断面図である。
これらの図において、１は多数の箸を立てて収納する箸立てであり、下端に外底２、下端近くの内部に内底３、上端に開口４を有する円筒状の外容器５、外容器５より径が少し小さく有底で上端に開口１０を有し、円筒状に形成された紫外線透過性を有する透明ガラス製の内容器１１を備え、内容器１１は外容器５の開口４から内部の内底３の上に挿脱自在に収納可能に形成されてる。内容器１１は外容器５の内部に収納させたとき、上端が外容器５の上端と一致する。
【００１１】
外容器５と内容器１１の開口４、１０の上には、多数の箸２０を内容器１１の外寄り（側壁寄り）に周方向に沿って分散して収納可能とする分散手段としてのセパレータ３０が被せられている。セパレータ３０は全体が円盤状であり、大径と小径のリング部３１、円盤部３２、リング部３１、円盤部３２の間を放射状に結合するとともに、周方向に配設された多数の開口孔３３を形成する多数の仕切り部３４、円盤部３２の上に嵌着されたドーム型のガイド３５を備えている。リング部３１は外容器５の上端から内容器１１の上端までを覆う。リング部３１の下面には外容器５と内容器１１の間に遊挿可能な円筒状の係止部３６が突設されており、セパレータ３０の横ズレ防止が図られている。
【００１２】
外容器５の内面６には、上端近くから内底３の下側まで内底３を貫通するようにして上下に延設された細長のＵＶ基板４０が周方向に９０度ずつ離れて４つ設けられている。各ＵＶ基板４０には水平かつ内容器１１の中心方向に光軸が向けられた紫外線照射手段としての紫外線発光素子４１が上下に等間隔離れて５つずつ配設されており、これらの紫外線発光素子４１は外容器５の外底２と内底３の間に備えられた電源部４２と接続されいる。電源部４２は図示しない電池と電源スイッチを有し、電源スイッチを閉じると、電池の電源が各紫外線発光素子４１に供給されて各紫外線発光素子４１が紫外線発光する。
外容器５の内底３より上側の内面６と、内底３の上面７は鏡面加工されて紫外線反射面となっている。
【００１３】
次に、図５乃至図７を参照して上記した実施例の作用を説明する。図５は箸立ての組み立て方法の説明図、図６はセパレータの作用説明図、図７は紫外線発光素子による紫外線照射作用の説明図である。
図５示す如く、セパレータ３０と内容器１１は外容器５から取り外して分離させた状態で洗浄可能であり、箸立て１を使用する際は、内容器１１を外容器５の開口４から挿入して内底３の上に収納し、セパレータ３０の下側の係止部３６を外容器５と内容器１１の間に挿入しながらセパレータ３０を外容器５と内容器１１の開口４、１０の上に被せる。そして、上方から多数の箸２０を先端をガイド部３５に当てて四方に分散させながら、各開口孔３３に小量ずつ小分けして収納させる（図６参照）。分散した箸２０は箸立て１が動かされても、仕切り部３４により開口孔３３の中でしか移動せず、分散状態が維持される。
【００１４】
この状態で電源スイッチをオンして、各ＵＶ基板４０の紫外線発光素子４１を発光状態とする。すると、各紫外線発光素子４１から発射した紫外線が内容器１１の側壁１２を通って直接、箸２０に照射されたり、一旦、内容器１１の外へ出て外容器５の内面６、内底３の上面７で反射したあと再度、内容器１１の側壁１２、底壁１３を通って箸２０に照射されたりして、箸２０の表面が殺菌、滅菌される（図７参照）。
この際、箸２０が内容器１１の周縁に沿って周方向に分散されていること、及び、ＵＶ基板４０が周方向に等間隔で４つ配設されて多数の紫外線発光素子４１が外容器５の内面６に沿って分布して配設されていることから、紫外線が各箸２０の表面に満遍なく照射される。
箸２０、セパレータ３０、内容器１１を洗浄したい場合、これらを外容器５から取り出して洗浄することができ、乾燥後、外容器５に戻せば良い。
【００１５】
この実施例によれば、箸立て１に収納された多数の箸２０の各々に紫外線を照射して殺菌・滅菌を図ることができる。セパレータ３０により内容器１１の周縁に沿って周方向に多数の箸２０を分散して収納し、周方向に間隔を開けて４つ配設したＵＶ基板４０の各々に縦方向に並べた複数の紫外線発光素子４１から紫外線を内容器１１の側壁１２を通して直接、箸２０に照射したり、一旦、内容器１１の外へ出て外容器５の内面６、内底３の上面７で反射したあと再度、内容器１１を通って箸２０に照射するようにしたので、紫外線が各箸２０の表面に満遍なく照射される。
また、多数の箸２０を上方からガイド部３５に当てて四方に分散させながら各開口孔３３に小分けして収納させるようにしたので、内容器１１への箸２０の分散挿入作業が容易に行える。
また、箸立て１に取り出して洗浄可能な内容器１１を装備し、この内容器１１に箸２０を収納するようにしたので、箸２０が外容器５に触れて汚れる心配がない。そして、箸２０を洗浄する際は、内容器１１に収納したまま外容器５から取り出すことで、洗浄場所への持ち運びが容易に行える。
【００１６】
なお、上記した実施例では、外容器５の内底３より上側の内面６と内底３の上面７を鏡面加工して紫外線反射面としたが、紫外線散乱面としても良い。また、図８に示す如く、吊持部材を兼ねたセパレータ３００の中央下面に、内容器１１の底壁１３の近くまで延設されるとともに外面が紫外線反射面または紫外線散乱面に加工された円筒状部材３０１を追加して吊持し、外容器５の内面６に配設されたＵＶ基板４０から発射され、内容器１１の側壁１２を透過した紫外線が円筒状部材３０１で反射または散乱されて箸２０に照射されるようにしても良い。
【００１７】
また、外容器の内面に周方向に沿って９０度ずつ離した４つのＵＶ基板を装備するようにしたが、６０度ずつ離した６つのＵＶ基板を装備するようにしたり、４５度ずつ離した８つのＵＶ基板を装備するようにしても良い。
また、図９（１）、（２）に示す如く外容器５の内底３の上面７に、同心円状、格子状など多数の紫外線発光素子４１を２次元的に分布して配設させたＵＶ基板４２、４３などを追加して装着し、内容器の下側から底壁を通して内容器に収納された箸の先端部分に紫外線を照射するようにしても良い。
【００１８】
また、図１０に示す如く、吊持部材を兼ねたセパレータ３１０の中央下面に、内容器１１の底壁１３の近くまで延設された紫外線透過性の透明なカバー３１１と、このカバー３１１の内側に配置した４角柱形の支持部材３１２とを吊持し、支持部材３１２の各面に４つのＵＶ基板４４を配設し、各ＵＶ基板４４に上下に配設した５つの紫外線発光素子４１から水平方向へ放射状に紫外線を照射するようにしても良い。この場合、セパレータ３１０の係止部３６の外側面に２つの＋電極３１３、−電極３１４を設けて各ＵＶ基板４４と接続し、外容器５の上端の内面６に＋電極３１３、−電極３１４に接触する＋電極３１５、−電極３１６を設け、これらの＋電極３１５、−電極３１６を電源部４２と接続する。外容器５の内面６と内底３の上面７は紫外線反射面又は散乱面に加工する。図１０の場合、外容器５の内面６に図１と同様に複数のＵＶ基板４０を配設し、内底３の上面７に図９と同様に、紫外線発光素子４１を２次元的に分布して配設させたＵＶ基板４２または４３を装着しても良い。
【００１９】
また、図１１に示す如く、内容器１１０の底１３０の中央に下に開口した筒部１１１を上方へ突設し、外容器５の内底３の中央に筒部１１１の中に挿通可能な４角柱形の支持部材８を立設し、支持部材８の各面に４つのＵＶ基板４６を配設し、各ＵＶ基板４６に上下に配設した５つの紫外線発光素子４１から水平方向へ放射状に紫外線を照射するようにしても良い。各ＵＶ基板４６は電源部４２と接続する。外容器５の内面６と内底３の上面７は紫外線反射面又は散乱面に加工する。図１１の場合も、外容器５の内面６に図１と同様に複数のＵＶ基板４０を配設し、内底３の上面７に紫外線発光素子４１を２次元的に分布して配設させたＵＶ基板４２または４３を装着しても良い。
【実施例２】
【００２０】
次に、図１２を参照して本考案の第２実施例を説明する。図１２は本考案に係る箸立ての縦断面図である。
１Ａは多数の箸を立てて収納する箸立てであり、下端に外底２、下端近くの内部に回転盤６０と回転盤６０を回転駆動する駆動部６１、上端に開口４を有する円筒状の外容器５Ａ、外容器５Ａより径が少し小さく有底で上端に開口６を有し、円筒状に形成された紫外線透過性を有する透明ガラス製の内容器１１Ａを備え、内容器１１Ａは外容器５Ａの開口４から内部の回転盤６０の上に挿脱自在に収納可能に形成されてる。内容器１１Ａは外容器５Ａの内部に収納させたとき、上端が外容器５の上端より少しだけ高くなるように形成されている。外容器５と内容器１１Ａの開口４、１０には、多数の箸２０を内容器１１Ａの外寄り（側壁寄り）に周方向に沿って分散して収納可能とする分散手段としてのセパレータ３０が被せられている。
【００２１】
外容器５Ａの内面６には、上端近くから回転盤６０近くまで延設された細長のＵＶ基板４０が１つ設けられている。ＵＶ基板４０には水平かつ内容器１１Ａの中心方向に光軸が向けられた紫外線照射手段としての紫外線発光素子４１が上下に等間隔離れて５つ配設されており、これらの紫外線発光素子４１は外容器５Ａの外底２と回転駆動部６１の間に備えられた電源部４２Ａと接続されいる。電源部４２Ａは図示しない電池と電源スイッチを有し、電源スイッチを閉じると、電池の電源が各紫外線発光素子４１及び回転駆動部６１に供給されて各紫外線発光素子４１が紫外線発光するとともに回転盤６０が一定速度で回転する。回転盤６０の回転速度は、３０秒乃至２分で１回転する程度である。回転駆動部６１と電源部４２Ａは外容器５Ａに装着されている。
外容器５Ａの回転盤６０より上側の内面６と回転盤６０の上面６２は鏡面加工されて紫外線反射面となっている。
【００２２】
次に、図１３を参照して上記した実施例の作用を説明する。図１３は紫外線発光素子４１による紫外線照射作用の説明図である。
図１と同様に、セパレータ３０と内容器１１Ａは外容器５Ａから取り外して分離させた状態で洗浄可能であり、箸立て１Ａを使用する際は、内容器１１Ａを外容器５Ａの開口４から挿入して回転盤６０の上に収納し、セパレータ３０の下側の係止部３６を外容器５Ａと内容器１１Ａの間に挿入しながらセパレータ３０を内容器１１Ａの開口１０の上に被せる。そして、上方から多数の箸２０を先端をガイド部３５に当てて四方に分散させながら、各開口孔３３に小量ずつ小分けして収納させる。分散した箸２０は箸立て１Ａが動かされても、仕切り部３４により開口孔３３の中でしか移動せず、分散状態が維持される。
【００２３】
この状態で電源スイッチをオンして、ＵＶ基板４０の紫外線発光素子４１を発光状態とし、回転盤６０を一定速度で回転させる。すると、各紫外線発光素子４１から発射した紫外線が内容器１１Ａの側壁１２を通って直接、箸２０に照射されたり、一旦、内容器１１Ａを通り抜け、外容器５Ａの内面６、回転盤６０の上面６２で反射したあと再度、内容器１１Ａの側壁１２、底壁１３を通って箸２０に照射されたりして、箸２０の表面が殺菌、滅菌される（図１３参照）。
この際、箸２０が内容器１１Ａの周縁に沿って周方向に分散されていること、及び、外容器５Ａに固定された紫外線発光素子４１に対し箸２０が内容器１１Ａ、セパレータ３０とともに周回することから、紫外線が各箸２０の表面に満遍なく照射される。
箸２０、セパレータ３０、内容器１１Ａを洗浄したい場合、これらを外容器５Ａから取り出して洗浄することができ、乾燥後、外容器５Ａに戻せば良い。
【００２４】
この実施例によれば、箸立て１Ａに収納された多数の箸２０の各々に紫外線を照射して殺菌・滅菌を図ることができる。セパレータ３０により内容器１１Ａの周縁に沿って周方向に多数の箸２０を分散して収納し、箸２０が内容器１１Ａ、セパレータ３０とともに周回するようにし、かつ、紫外線が外容器５Ａの内面６、回転盤６０の上面６２で反射するようにしたので、１つのＵＶ基板４０に配設した５の紫外線発光素子４１から発射された紫外線が各箸２０の表面に満遍なく照射される。
【００２５】
なお、上記した第２実施例では、外容器５Ａの回転盤６０より上側の内側面６と回転盤６０の上面６２を鏡面加工して紫外線反射面としたが、紫外線散乱面としても良い。また、セパレータ３０を図８に示す如く、セパレータ３００に置き換えても良い。
【００２６】
また上記した各実施例及びその変形例では、箸を簡単に分散し、かつ分散した状態に保持するセパレータを設けるようにしたが、省略しても良い。また、箸立ての外容器と内容器を円筒状としたが、４角形、五角形、６角形などの角柱状にしても良い。また、紫外線照射手段として紫外線発光素子を例に挙げたが、紫外線ランプを用いても良い。
また、電源部の電源は乾電池を例に挙げて説明したが、商用電源であるＡＣ１００Ｖを入力して所定電圧の直流電源を作成する直流電源を用いたり、外部のＡＣアダプターから入力した直流電源を用いても良い。或いは、箸立ての置かれるテーブルに内蔵された交流磁界発生部で発生された交流磁界から非接触で起電力を生じる誘導コイルを箸立ての底部に装備し、該誘導コイルに誘起された交流電圧を箸立て内で直流電源に変換して作成するようにしても良い。
【産業上の利用可能性】
【００２７】
本考案は、リターナブルタイプの箸、ワンウエイタイプの箸を立てて収納する箸立てに適用可能である。
【符号の説明】
【００２８】
１、１Ａ  箸立て
２  外底
３  内底
４、１０  開口
５、５Ａ  外容器
６  内側面
７  上面
１１、１１Ａ、１１０  内容器
２０  箸
３０  セパレータ
３３  開口孔
３５  ガイド部
４０、４３、４４、４５、４６  ＵＶ基板
４２、４２Ａ  電源部
４１  紫外線発光素子
６０  回転盤
６１  回転駆動部
【図１】
0003190787.tif 000003
【図２】
0003190787.tif 000004
【図３】
0003190787.tif 000005
【図４】
0003190787.tif 000006
【図５】
0003190787.tif 000007
【図６】
0003190787.tif 000008
【図７】
0003190787.tif 000009
【図８】
0003190787.tif 000010
【図９】
0003190787.tif 000011
【図１０】
0003190787.tif 000012
【図１１】
0003190787.tif 000013
【図１２】
0003190787.tif 000014
【図１３】
0003190787.tif 000015